(57)【特許請求の範囲】
【請求項１】
回収対象エリア内の多点に存在する被回収物を前記回収対象エリア外に排出して回収する多点回収装置であって、
前記回収対象エリア内と前記回収対象エリア外とを結ぶ本流配管と、一端が前記本流配管に接続された複数の支流配管と、前記複数の支流配管の途中に設けられたエジェクターとを有し、
前記本流配管と前記支流配管との合流部において、上流側の本流配管が下流側の本流配管に挿入されて、上流側の本流配管の外面と下流側の本流配管の内面との間に隙間を生じさせるとともに、前記支流配管が前記本流配管に対して上流側に傾いた状態で前記隙間に向けて開口するように接続されて、前記支流配管からの流入により旋回流を発生させるように構成されており、
前記エジェクターが発生する吸引力により、前記回収対象エリア内の多点に存在する被回収物を前記複数の支流配管の他端から吸引し、前記本流配管を経由して前記回収対象エリア外に排出して回収することを特徴とする多点回収装置。
【請求項２】
前記合流部において、前記上流側の本流配管が下流側に向けてテーパー状に縮径しているとともに、前記下流側の本流配管が下流側に向けてテーパー状に縮径していることを特徴とする請求項１に記載の多点回収装置。
【請求項３】
前記エジェクターにおいて、圧縮空気の導入により旋回流を発生させることを特徴とする請求項１に記載の多点回収装置。
【請求項４】
前記被回収物が粉粒体であることを特徴とする請求項１に記載の多点回収装置。
【請求項５】
回収対象エリア内の多点に存在する被回収物を前記回収対象エリア外に排出して回収する多点回収方法であって、
前記回収対象エリア内と前記回収対象エリア外とを本流配管で結び、前記本流配管に複数の支流配管の一端を接続し、前記複数の支流配管の途中にエジェクターを設け、
前記本流配管と前記支流配管との合流部において、上流側の本流配管を下流側の本流配管に挿入して、上流側の本流配管の外面と下流側の本流配管の内面との間に隙間を生じさせるとともに、前記支流配管を前記本流配管に対して上流側に傾いた状態で前記隙間に向けて開口するように接続して、前記支流配管からの流入により旋回流を発生させるように構成し、
前記エジェクターが発生する吸引力により、前記回収対象エリア内の多点に存在する被回収物を前記複数の支流配管の他端から吸引し、前記本流配管を経由して前記回収対象エリア外に排出して回収することを特徴とする多点回収方法。
【請求項６】
前記合流部において、前記上流側の本流配管を下流側に向けてテーパー状に縮径させるとともに、前記下流側の本流配管を下流側に向けてテーパー状に縮径させることを特徴とする請求項５に記載の多点回収方法。
【請求項７】
前記エジェクターにおいて、圧縮空気の導入により旋回流を発生させることを特徴とする請求項５に記載の多点回収方法。
【請求項８】
前記被回収物が粉粒体であることを特徴とする請求項５に記載の多点回収方法。
【発明の詳細な説明】
【技術分野】
【０００１】
本発明は、例えば石油タンク内のブラスト工事により発生する塗膜片や研削材等を回収する場合のように、回収対象エリア内の多点に存在する被回収物を回収対象エリア外に排出して回収する、多点回収装置及び多点回収方法に関するものである。
【背景技術】
【０００２】
従来、石油タンク等のタンク内面を定期的に再塗装するにあたり、古い塗装を剥がすための床面研掃機が用いられている。例えば特許文献１には、２台の遠心投射機により鋼粒を床面に投射しながら走行して床面を研掃するようにした、床面研掃機に関する発明が記載されている。この床面研掃機は、遠心投射機やモーターを搭載することから構造的にやや複雑で大型となる。そのため、塗膜片や投射した研削材を回収する集塵機も大型となり、集塵機をタンク外に設置してタンク内の床面研掃機との間をダクトホースで接続する構成となる。また、タンク内で複数台の床面研掃機を同時稼働させる場合、同数の集塵機を用意して１対１で接続する必要がある。
【０００３】
これに対して、例えば特許文献２には、装置のコンパクト化を推進した小型の床面研掃機に関する発明が記載されている。この床面研掃機は小型であるため集塵機も小型化でき、集塵機をタンク外に設置することなくタンク内に搬入して施工することができる。
【０００４】
また、タンク内や橋梁足場内におけるオープンブラスト工事においては、多量の研削材を噴射して使用し、作業終了後には研削材の回収が行われている。
【０００５】
また、タンク内や工場内の清掃や、開放中のタンク床面への結露や雨水浸入に伴う排水作業も行われている。
【先行技術文献】
【特許文献】
【０００６】
【特許文献１】特開平５−１２３９６９号公報
【特許文献２】特開２００２−１８７１６号公報
【発明の概要】
【発明が解決しようとする課題】
【０００７】
しかしながら、特許文献１に記載された大型の床面研掃機をタンク内で複数台同時稼働させる場合、タンク外の複数台の集塵機と接続する複数のダクトホースをタンク内に導入する必要があり、作業のための出入口であるサイドマンホールを塞いでしまうという問題があった。また、タンク内の床面を多数のダクトホースが這い回り、人力によるダクトホースの移動作業が必要となる等、作業効率の低下を招いていた。
【０００８】
また、特許文献２に記載された小型の床面研掃機によれば、集塵機をタンク内に搬入して施工することができるので、サイドマンホールを塞ぐことなく作業性は向上する。しかし、タンク内で複数台同時稼働させる場合、床面研掃機１台に対して集塵機が１台必要であることに変わりはなく、また集塵機の吸引能力の低下が直接床面研掃機の能力低下につながるため、メンテナンスに手間取るという問題があった。
【０００９】
また、タンク内や橋梁足場内におけるオープンブラスト工事においては、多量の研削材を噴射して使用するため、回収に多くの人力を必要としている。さらに、ベルトコンベヤーを設置して搬出したり、専用のバキューム車を使用して搬出・回収したりしており、多くの人力とコストがかかっている。
【００１０】
また、タンク内や工場内の清掃や、開放中のタンク床面への結露や雨水浸入に伴う排水作業においても、多くの人力とコスト・工期がかかっている。
【００１１】
本発明は、上記従来の課題を解決するものであり、例えば石油タンク内のブラスト工事により発生する塗膜片や研削材等を回収する場合のように、タンク内、工場内、足場内といった広い回収対象エリア内の多点に存在する被回収物を、効率的に回収対象エリア外に排出して回収することのできる多点回収装置及び多点回収方法を提供するものである。
【課題を解決するための手段】
【００１２】
上記課題を解決するため、本発明の多点回収装置は、回収対象エリア内の多点に存在する被回収物を前記回収対象エリア外に排出して回収する多点回収装置であって、前記回収対象エリア内と前記回収対象エリア外とを結ぶ本流配管と、一端が前記本流配管に接続された複数の支流配管と、前記複数の支流配管の途中に設けられたエジェクターとを有し、前記本流配管と前記支流配管との合流部において、上流側の本流配管が下流側の本流配管に挿入されて、上流側の本流配管の外面と下流側の本流配管の内面との間に隙間を生じさせるとともに、前記支流配管が前記本流配管に対して上流側に傾いた状態で前記隙間に向けて開口するように接続されて、前記支流配管からの流入により旋回流を発生させるように構成されており、前記エジェクターが発生する吸引力により、前記回収対象エリア内の多点に存在する被回収物を前記複数の支流配管の他端から吸引し、前記本流配管を経由して前記回収対象エリア外に排出して回収することを特徴とする。
【００１３】
また好ましくは、前記合流部において、前記上流側の本流配管が下流側に向けてテーパー状に縮径しているとともに、前記下流側の本流配管が下流側に向けてテーパー状に縮径していることを特徴とする。
【００１４】
また好ましくは、前記エジェクターにおいて、圧縮空気の導入により旋回流を発生させることを特徴とする。
【００１５】
また好ましくは、前記被回収物が粉粒体であることを特徴とする。
【００１６】
また本発明の多点回収方法は、回収対象エリア内の多点に存在する被回収物を前記回収対象エリア外に排出して回収する多点回収方法であって、前記回収対象エリア内と前記回収対象エリア外とを本流配管で結び、前記本流配管に複数の支流配管の一端を接続し、前記複数の支流配管の途中にエジェクターを設け、前記本流配管と前記支流配管との合流部において、上流側の本流配管を下流側の本流配管に挿入して、上流側の本流配管の外面と下流側の本流配管の内面との間に隙間を生じさせるとともに、前記支流配管を前記本流配管に対して上流側に傾いた状態で前記隙間に向けて開口するように接続して、前記支流配管からの流入により旋回流を発生させるように構成し、前記エジェクターが発生する吸引力により、前記回収対象エリア内の多点に存在する被回収物を前記複数の支流配管の他端から吸引し、前記本流配管を経由して前記回収対象エリア外に排出して回収することを特徴とする。
【００１７】
また好ましくは、前記合流部において、前記上流側の本流配管を下流側に向けてテーパー状に縮径させるとともに、前記下流側の本流配管を下流側に向けてテーパー状に縮径させることを特徴とする。
【００１８】
また好ましくは、前記エジェクターにおいて、圧縮空気の導入により旋回流を発生させることを特徴とする。
【００１９】
また好ましくは、前記被回収物が粉粒体であることを特徴とする。
【発明の効果】
【００２０】
本発明においては、回収対象エリア内と回収対象エリア外とを結ぶ本流配管と、一端が本流配管に接続された複数の支流配管と、複数の支流配管の途中に設けられたエジェクターとが備えられている。また、本流配管と支流配管との合流部において、上流側の本流配管が下流側の本流配管に挿入されて、上流側の本流配管の外面と下流側の本流配管の内面との間に隙間を生じさせるとともに、支流配管が本流配管に対して上流側に傾いた状態で隙間に向けて開口するように接続されて、支流配管からの流入により旋回流を発生させるように構成されている。そして、エジェクターが発生する吸引力により、回収対象エリア内の多点に存在する被回収物を複数の支流配管の他端から吸引し、本流配管を経由して回収対象エリア外に排出して回収するようになっている。
【００２１】
従って、まず回収対象エリア外と回収対象エリア内との間を、本流配管の配置によりシンプルに構成することができる。さらに回収対象エリア内においても、本流配管から枝分かれした支流配管を複数地点（多点）に広げるように配置することでシンプルに構成することができる。これにより、複雑な配管を原因とした作業効率の低下を防止することができる。そして、回収対象エリア内の多点に存在する被回収物を、同時にかつ集中させながら排出し回収することができる。
【００２２】
また、被回収物を回収するための吸引力を、エジェクターを使用してコンパクトなシステム構成で実現することができる。これにより、回収対象エリア内の多点に存在する被回収物を回収する場合であっても、メンテナンスに手間取る集塵機等の装置を各地点に配置する必要がない。
【００２３】
また、本流配管と支流配管との合流部において、支流配管からの流れが上流側の本流配管の外面と下流側の本流配管の内面との間に生じた隙間に下流側に向かって流れ込むので、ドーナツ状の隙間に沿って回転しながら下流側に向かう旋回流を発生させることができ、本流配管の流れを強くすることができる。
【００２４】
また、合流部において、上流側の本流配管が下流側に向けてテーパー状に縮径し、下流側の本流配管が下流側に向けてテーパー状に縮径するような構成とした場合には、本流配管の流れをより強くすることができる。
【００２５】
また、エジェクターにおいて、圧縮空気の導入により旋回流を発生させる構成とした場合には、支流配管の流れをより強くすることができる。
【００２６】
また、被回収物が粉粒体である場合には、特に効率的な回収が可能となる。
【００２７】
以上、本発明によれば、例えば石油タンク内のブラスト工事により発生する塗膜片や研削材等を回収する場合のように、タンク内、工場内、足場内といった広い回収対象エリア内の多点に存在する被回収物を、効率的に回収対象エリア外に排出して回収することができる。
【図面の簡単な説明】
【００２８】
【図１】本発明の実施形態１に係る多点回収装置を示す全体構成図である。
【図２】エジェクターを示す断面図である。
【図３】本流配管と支流配管との合流部を示す斜視図である。
【図４】本流配管と支流配管との合流部を示す断面図である。
【図５】本流配管と支流配管との合流部を示す断面図である。
【図６】複数の合流部による本流配管の連結構造を示す断面図である。
【図７】本発明の実施形態２に係る多点回収装置を示す全体構成図である。
【発明を実施するための形態】
【００２９】
次に、図１乃至図６を参照して、本発明の実施形態に係る多点回収装置及び多点回収方法について説明する。なお、以下の説明において、「上流」及び「下流」とは、被回収物が移動する方向に基づいて定義するものであり、被回収物の移動元の方向を「上流」とし、被回収物の移動先の方向を「下流」とする。
【００３０】
（実施形態１）
図１は、本発明の実施形態１に係る多点回収装置を示す全体構成図である。図１に示すように、実施形態１に係る多点回収装置は、石油タンク１内のブラスト工事により発生する塗膜片や研削材等の粉粒体からなる被回収物を回収するための装置である。ここで、被回収物が存在する石油タンク１の内部を「回収対象エリア」と称し、石油タンク１の内外を「回収対象エリア内１００」と「回収対象エリア外２００」に区分する。なお、実施形態１におけるブラスト工事は、複数の床面研掃機を使用した、いわゆるクローズドブラスト方式によるものであり、各々の床面研掃機の稼働により生じた塗膜片や研削材等の粉粒体を回収するものである。従って、実施形態１における被回収物は、複数の床面研掃機の走行位置に応じて、回収対象エリア内１００の多点に存在することになる。
【００３１】
回収対象エリア内１００と回収対象エリア外２００とは、本流配管１０により結ばれている。本流配管１０の一端は回収対象エリア内１００に向けて延設されており、本流配管１０の他端は石油タンク１のサイドマンホールを経由して回収対象エリア外２００に設置されたサイクロン９を経由して集塵機３に接続されている。なお、特開２０１３−０７１２２８号公報に開示された粉粒体分離処理装置を接続して、被回収物の分離処理を行うこともできる。
【００３２】
回収対象エリア内１００の本流配管１０には、複数の支流配管２０の一端が接続されている。本流配管１０と支流配管２０との接続部分は、合流部４０となっている。このように、本流配管１０から複数の支流配管２０が枝分かれすることにより、回収対象エリア内１００の配管は魚の骨のような様相を呈している。合流部４０の詳細については後述する。なお、本流配管１０及び支流配管２０は、伸縮性及び可撓性のある部材を用いることが好ましい。
【００３３】
複数の支流配管２０の途中には、それぞれエジェクター３０が設けられている。エジェクター３０にはエアー供給配管５が接続されており、石油タンク１の外に設置されたエアーコンプレッサー２から圧縮空気が供給されるようになっている。また、エアー供給配管５には、各々のエジェクター３０へのエアー供給を独立して調整するための複数の調整弁が設けられている。なお、本実施形態において、被回収物を回収するための吸引力は、エジェクター３０から発生するものであり、本流配管１０の終端に接続された集塵機３は、回収対象エリア外２００に排出された被回収物が飛散しないようにするための補助的な機能を有するものである。エジェクター３０の詳細については後述する。
【００３４】
各々の支流配管２０の他端には、床面研掃機４が接続されている。そして、床面研掃機４の稼働により生じた塗膜片や研削材等の粉粒体からなる被回収物を、支流配管２０の他端からエジェクター３０が発生する吸引力により吸引し、本流配管１０を経由して回収対象エリア外２００に排出して回収するようになっている。支流配管２０に接続する床面研研掃機４としては、特開平５−１２３９６９号公報に開示された大型の床面研掃機、特開２００２−１８７１６号公報に開示された小型の床面研掃機等が挙げられる。
【００３５】
次に、図２を参照して、エジェクター３０の詳細について説明する。図２（ａ）は、エジェクター３０を示す断面正面図であり、図２（ｂ）は、エジェクター３０を示す断面斜視図である。
【００３６】
エジェクター３０は、圧縮空気導入管３１、吸入管３２及び吐出管３３から構成されている。そして、圧縮空気導入管３１から圧縮空気（Ａ）を導入することにより、吸入管３２に吸入力（Ｂ）を発生させて、吐出管３３から被回収物を含む空気を吐出（Ｃ）するようになっている。エジェクター３０は、支流配管２０の移動に伴い移動することから、後述する合流部４０のような車輪付き架台に載置することが好ましい。
【００３７】
ここで、エジェクター３０においては、圧縮空気（Ａ）の導入により旋回流を発生させるように構成することが好ましい。旋回流を発生させることにより、支流配管２０の流れをより強くすることができる。旋回流を発生させる構成は種々可能であるが、本実施形態では、圧縮空気導入管３１の取付位置を吸入管３２の中心からずらすことにより、圧縮空気導入管３１から導入される圧縮空気を吸入管３２の端部付近で回転させ、回転を維持したまま吸入管３２と吐出管３３との間に形成された隙間から噴出（Ｄ）させることにより実現している。
【００３８】
次に、図３乃至図５を参照して、合流部４０の詳細について説明する。図３は、本流配管と支流配管との合流部を示す斜視図であり、図４及び図５は、本流配管と支流配管との合流部を示す断面図である。
【００３９】
図３に示すように、合流部４０は架台６に載置されている。架台４０の下面には車輪７が設けられており自由に移動させることができるようになっている。合流部４０は、本流配管を構成する上流側の本流配管１１及び下流側の本流配管１２の接続部に、支流配管２０が合流するように構成されている。
【００４０】
図４及び図５に示すように、上流側の本流配管１１と下流側の本流配管１２とは、上流側の本流配管１１が下流側の本流配管１２に挿入されることにより接続されている。そして、上流側の本流配管１１の外面と下流側の本流配管１２の内面との間に隙間が生じるようになっている。さらに、支流配管２０が、本流配管１０（１１，１２）に対して上流側に傾いた状態で、上流側の本流配管１１の外面と下流側の本流配管１２の内面との間の隙間に向けて開口するように接続されている。支流配管２０の本流配管１０（１１，１２）に対する取付角度（α）は、例えば７５°とすることができる。また、下流側の本流配管１２の上流側端部は閉塞されている。
【００４１】
より詳細には、本流配管１１の端部が本流配管１２の端部に形成された拡径部に挿入されるとともに、支流配管２０の端部が本流配管１２の拡径部を貫通して隙間に向けて開口している。そして、支流配管２０からの被回収物を含む空気が本流配管１０に流入するようになっている。また、支流配管２０の本流配管１２への取付位置（取付方向）は、支流配管２０からの流入が本流配管１２の径方向の中心点に向かわないように構成されており、支流配管２０から流入する空気が本流配管１１の外面で回転し、回転を維持したまま本流配管１１と本流配管１２との間に形成された隙間から下流側に向けて噴出させるようになっている。
【００４２】
なお本実施形態では、上流側の本流配管１１の端部が下流側に向けてテーパー状に縮径して絞り形状になっている。また、下流側の本流配管１２が上流側の拡径部から下流側に向けてテーパー状に縮径するように形成されている。このように本流配管１１，１２の径を下流側に向けて縮径させることで、本流配管１０の流れをより強くすることができる。ただし、本流配管１１の外面と本流配管１２の内面との間に隙間を生じさせることができれば、必ずしもテーパー状に縮径させる必要はない。
【００４３】
以上の構成により、合流部４０においては、支流配管２０からの流入により旋回流を発生させるようになっている。すなわち、支流配管２０からの流れが上流側の本流配管１１の外面と下流側の本流配管１２の内面との間に生じた隙間に下流側に向かって流れ込むので、ドーナツ状の隙間に沿って回転しながら下流側に向かう旋回流を発生させることができる。そして、旋回流を発生させることにより、本流配管１０の流れをより強くすることができる。このとき合流部４０では、支流配管２０からの空気の流入によってエジェクターとしての効果が発生する。
【００４４】
次に、図６を参照して、本流配管１０の連結構造について説明する。図６は、複数の合流部４による本流配管１０の連結構造を示す断面図である。なお、図６では、支流配管２０の記載を省略している。
【００４５】
図６に示すように、本流配管１０は、合流部４０を介して上流側（図６における右側）から下流側（図６における左側）に向かって、本流配管１１、本流配管１２、本流配管１３及び本流配管１４と順に接続されている。また、各々の本流配管１１，１２，１３，１４の途中は、伸縮性及び可撓性のある連結配管８により連結されている。そして、本流配管１１，１２，１３，１４は、上流から下流に向かうにつれて径が拡大している。これは、合流部を経由するごとに支流配管２０から空気が流入し、本流配管１０の流量が増加するためである。
【００４６】
以上の構成により、実施形態１に係る多点回収装置は、エジェクター３０が発生する吸引力により、回収対象エリア内１００の多点に存在する、複数の床面研掃機４の稼働により生じた塗膜片や研削材等の粉粒体からなる被回収物を複数の支流配管１０の端部から吸引し、本流配管１０を経由して回収対象エリア外２００に排出して回収するようになっている。
【００４７】
（実施形態２）
図７は、本発明の実施形態２に係る多点回収装置を示す全体構成図である。実施形態２に係る多点回収装置は、実施形態１に係る多点回収装置と同様に、石油タンク１内のブラスト工事により発生する塗膜片や研削材等の粉粒体からなる被回収物を回収するための装置である。以下、実施形態１と同一の構成については同一の符号を付し説明を省略する。
【００４８】
実施形態２におけるブラスト工事は、いわゆるオープンブラスト方式によるものであり、床面への研削材噴射により散らばった塗膜片や研削材等の粉粒体を回収するものである。従って、実施形態２における被回収物は、床面に散らばった粉粒体の状態で、回収対象エリア内１００の多点に存在することになる。
【００４９】
回収対象エリア内１００と回収対象エリア外２００とは、本流配管１０により結ばれている。本流配管１０の一端は回収対象エリア内１００に向けて延設されており、本流配管１０の他端は石油タンク１のサイドマンホールを経由して回収対象エリア外２００に設置されたホッパー５０を経由して集塵機３に接続されている。なお、特開２０１３−０７１２２８号公報に開示された粉粒体分離処理装置を接続して、被回収物の分離処理を行うこともできる。
【００５０】
各々の支流配管２０の他端には、掃除機ヘッド５１や床面掃除機５２が接続されている。そして、床面に散らばった塗膜片や研削材等の粉粒体からなる被回収物を、掃除機ヘッド５１や床面掃除機５２を使用しながら、支流配管２０の他端からエジェクター３０が発生する吸引力により吸引し、本流配管１０を経由して回収対象エリア外２００に排出して回収するようになっている。支流配管２０に接続する床面掃除機５２としては、特開２０１２−１４３４２２号公報に開示された手押し床面掃除機等が挙げられる。
【００５１】
以上の構成により、実施形態２に係る多点回収装置は、エジェクター３０が発生する吸引力により、回収対象エリア内１００の多点に集められた、塗膜片や研削材等の粉粒体からなる被回収物を複数の支流配管１０の端部から吸引し、本流配管１０を経由して回収対象エリア外２００に排出して回収するようになっている。
【００５２】
本実施形態に係る多点回収装置及び多点回収方法においては、回収対象エリア内１００と回収対象エリア外２００とを結ぶ本流配管１０と、一端が本流配管１０に接続された複数の支流配管２０と、複数の支流配管２０の途中に設けられたエジェクター３０とが備えられている。また、本流配管１０と支流配管２０との合流部４０において、上流側の本流配管１１が下流側の本流配管１２に挿入されて、上流側の本流配管１１の外面と下流側の本流配管１２の内面との間に隙間を生じさせるとともに、支流配管２０が本流配管１０（１１，１２）に対して上流側に傾いた状態で隙間に向けて開口するように接続されて、支流配管２０からの流入により旋回流を発生させるように構成されている。そして、エジェクター３０が発生する吸引力により、回収対象エリア内１００の多点に存在する被回収物を複数の支流配管２０の他端から吸引し、本流配管１０を経由して回収対象エリア外２００に排出して回収するようになっている。
【００５３】
従って、まず回収対象エリア外２００と回収対象エリア内１００との間を、本流配管１０の配置によりシンプルに構成することができる。さらに回収対象エリア内１００においても、本流配管１０から枝分かれした支流配管２０を複数地点（多点）に広げるように配置することでシンプルに構成することができる。これにより、複雑な配管を原因とした作業効率の低下を防止することができる。そして、回収対象エリア内１００の多点に存在する被回収物を、同時にかつ集中させながら排出し回収することができる。
【００５４】
また、被回収物を回収するための吸引力を、エジェクター３０を使用してコンパクトなシステム構成で実現することができる。これにより、回収対象エリア内１００の多点に存在する被回収物を回収する場合であっても、メンテナンスに手間取る集塵機等の装置を各地点に配置する必要がない。
【００５５】
また、本流配管１０と支流配管２０との合流部４０において、支流配管２０からの流れが上流側の本流配管１１の外面と下流側の本流配管１２の内面との間に生じた隙間に下流側に向かって流れ込むので、ドーナツ状の隙間に沿って回転しながら下流側に向かう旋回流を発生させることができ、本流配管１０の流れを強くすることができる。
【００５６】
また、合流部４０において、上流側の本流配管１１が下流側に向けてテーパー状に縮径し、下流側の本流配管１２が下流側に向けてテーパー状に縮径するような構成としたことにより、本流配管の流れをより強くすることができる。
【００５７】
また、エジェクター３０において、圧縮空気の導入により旋回流を発生させる構成としたことにより、支流配管２０の流れをより強くすることができる。
【００５８】
また、被回収物が粉粒体であるため、特に効率的な回収が可能となる。
【００５９】
以上、本実施形態に係る多点回収装置及び多点回収方法によれば、石油タンク１内のブラスト工事により発生する塗膜片や研削材等のように、広い回収対象エリア内１００の多点に存在する被回収物を、効率的に回収対象エリア外２００に排出して回収することができる。
【００６０】
以上、本発明の実施形態に係る多点回収装置及び多点回収方法について説明したが、本発明は上述した実施の形態に限定されるわけではなく、その他種々の変更が可能である。
【００６１】
例えば、本実施形態では、石油タンク内の床面研掃機を用いたブラスト工事について説明したが、その他にも、橋梁足場内のオープンブラスト工事における床面堆積した研削材排出、タンク内や工場内における複数台の床面掃除機を使用した広範囲の清掃、開放中のタンク床面への結露や雨水浸入に伴う排水作業等においても適用可能である。被回収物は粉粒体に限定されるものではなく、排水作業における液体等も対象とすることが可能である。
【符号の説明】
【００６２】
１  石油タンク
２  コンプレッサー
３  集塵機
４  床面研掃機
５  エアー供給配管
６  架台
７  車輪
８  連結配管
９  サイクロン
１０  本流配管
１１  本流配管
１２  本流配管
１３  本流配管
１４  本流配管
２０  支流配管
３０  エジェクター
３１  圧縮空気導入管
３２  吸入管
３３  吐出管
４０  合流部
５０  ホッパー
５１  掃除機ヘッド
５２  床面掃除機
１００  回収対象エリア内
２００  回収対象エリア外
【要約】
【課題】石油タンク内のブラスト工事により発生する塗膜片や研削材等を回収する場合のように、タンク内、工場内、足場内といった広い回収対象エリア内の多点に存在する被回収物を、効率的に回収対象エリア外に排出して回収する。
【解決手段】回収対象エリア内１００と回収対象エリア外２００とを結ぶ本流配管１０と、一端が本流配管１０に接続された複数の支流配管２０と、複数の支流配管２０の途中に設けられたエジェクター３０とを有し、本流配管１０と支流配管２０との合流部４０において、支流配管２０からの流入により旋回流を発生させるように構成されており、エジェクター３０が発生する吸引力により、回収対象エリア内１００の多点に存在する被回収物を複数の支流配管２０の他端から吸引し、本流配管１０を経由して回収対象エリア外２００に排出して回収する。
【選択図】図１【図１】
0006010197.tif 000002
【図２】
0006010197.tif 000003
【図３】
0006010197.tif 000004
【図４】
0006010197.tif 000005
【図５】
0006010197.tif 000006
【図６】
0006010197.tif 000007
【図７】
0006010197.tif 000008